(57)【要約】      （修正有）【課題】被洗浄車両の洗浄中、被洗浄車両の中にいるユーザに対して圧迫感や恐怖感を解消するとともに、被洗浄車両の洗浄への開始も短くし、使い易く、利便性の高い洗車機を提供する。【解決手段】被洗浄車両と洗車機本体を前後方向に相対移動させながら、前記被洗浄車両の洗車を行う洗車機であって、前記被洗浄車両の上面を洗浄するトップブラシを備え、前記被洗浄車両の中央部Ｐ３から前端部Ｐ４へ向かって前記トップブラシを移動して洗浄する第１の洗浄工程Ｑ３４と、前記被洗浄車両の中央部Ｐ３から後端部Ｐ５へ向かって前記トップブラシを移動して洗浄する第２の洗浄工程Ｑ３５と、を備えた。【選択図】図５
2012046141.tif 000002
【特許請求の範囲】
【請求項１】
被洗浄車両と洗車機本体を前後方向に相対移動させながら、前記被洗浄車両の洗車を行う洗車機であって、
前記被洗浄車両の上面を洗浄するトップブラシを備え、
前記被洗浄車両の中央部から前端部へ向かって前記トップブラシを移動して洗浄する第１の洗浄工程と、
前記被洗浄車両の中央部から後端部へ向かって前記トップブラシを移動して洗浄する第２の洗浄工程と、
を備えたことを特徴とする洗車機。
【請求項２】
前記第１の洗浄工程は、前記トップブラシと前記被洗浄車両とが接触する洗浄開始位置から前記被洗浄車両の前端部へ向かって洗浄し、
前記第２の洗浄工程は、前記洗浄開始位置から前記被洗浄車両の後端部へ向かって洗浄し、
前記第１の洗浄工程の前に、前記被洗浄車両の斜め上前方の待機位置から、前記トップブラシを前記被洗浄車両の中央部上方へ移動し、前記中央部上方から下方の前記洗浄開始位置へと移動する第１の洗浄体移動工程を設け、
前記第１の洗浄工程と前記第２の洗浄工程との間に、前記被洗浄車両の前端部から前記待機位置へと移動する第２洗浄体移動工程と、前記第１の洗浄体移動工程と、を設けたことを特徴とする請求項１に記載の洗車機。
【請求項３】
前記第１の洗浄工程と前記第２の洗浄工程とを含む安心洗浄工程に加えて、さらに前記被洗浄車両の前端部から後端部へ向かって直線的に洗浄する直線的洗浄工程を備え、
ユーザの所定の操作により前記安心洗浄工程と前記直線的洗浄工程とを選択可能としたことを特徴とする請求項１又は２に記載の洗車機。
【請求項４】
被洗浄車両と洗車機本体を前後方向に相対移動させながら、前記被洗浄車両の乾燥を行う洗車機であって、
前記被洗浄車両の上面を乾燥するトップ送風部を備え、
前記被洗浄車両の中央部から前端部へ向かって前記トップ送風部を移動して乾燥する第１の乾燥工程と、
前記被洗浄車両の中央部から後端部へ向かって前記トップ送風部を移動して乾燥する第２の乾燥工程と、
を備えたことを特徴とする洗車機。
【請求項５】
前記第１の乾燥工程は、前記トップ送風部と前記被洗浄車両とが近接する乾燥開始位置から前記被洗浄車両の前端部へ向かって乾燥し、
前記第２の乾燥工程は、前記乾燥開始位置から前記被洗浄車両の後端部へ向かって乾燥し、
前記第１の乾燥工程の前に、前記被洗浄車両の斜め上前方の待機位置から、前記トップ送風部を前記被洗浄車両の中央部上方へ移動し、前記中央部上方から下方の前記乾燥開始位置へと移動する第１の乾燥体移動工程を設け、
前記第１の乾燥工程と前記第２の乾燥工程との間に、前記被洗浄車両の前端部から前記待機位置へと移動する第２の乾燥体移動工程と、前記第１の乾燥体移動工程と、を設けたことを特徴とする請求項１に記載の洗車機。
【請求項６】
前記第１の乾燥工程と前記第２の乾燥工程とを含む安心乾燥工程に加えて、さらに前記被洗浄車両の前端部から後端部へ向かって直線的に乾燥する直線的乾燥工程を備え、
ユーザの所定の操作により前記安心乾燥工程と前記直線的乾燥工程とを選択可能としたことを特徴とする請求項４又は５に記載の洗車機。
【発明の詳細な説明】
【技術分野】
【０００１】
本発明は洗車機に関する。
【背景技術】
【０００２】
従来、給油所などに設置されている洗車機は、被洗浄車両と洗車機本体を前後方向に相対移動させながら、被洗浄車両に貯液タンクに貯留された液剤や洗浄水を噴霧して洗車を行う構成とされている。また、セルフサービスの場合には、ユーザが被洗浄車両の中で待機しながら、液剤や洗浄水を噴霧しながらブラッシングして洗浄することや、洗浄後に風を吹き付けて乾燥することが行われている。
【０００３】
上記のような洗車を行う際、ユーザは被洗浄車両の中で待機している。そして、被洗浄車両のフロントガラスを洗浄する際、ユーザの目の前に近づく方向にトップブラシが通って洗浄するため、ユーザへ圧迫感や恐怖感を与えるという問題がある。
【０００４】
そこで、被洗浄車両の洗浄中、被洗浄車両の中にいるユーザに対して、被洗浄車両の後ろから洗浄し、ユーザの目の前から近づかないように洗浄することで、圧迫感や恐怖感を軽減する洗車機が開示されている（例えば特許文献１）。
【先行技術文献】
【特許文献】
【０００５】
【特許文献１】特開２００５−３２９８０６号公報
【発明の概要】
【発明が解決しようとする課題】
【０００６】
しかしながら、上記特許文献では、洗車機を前進させて、ビームセンサー（センサー部材）の前において、洗浄手段を停止させてから車形全体を検出する。その後、洗車機を後進させて、被洗浄車両の後方から洗車工程が実行される。このような動作の場合、必ず最初にビームセンサー１０を用いて洗浄手段を停止させてから車形を検出する工程が必要となり、洗車が始まるまでにユーザを待たせてしまうという問題がある。また、被洗浄車両の車種や装備品の有無によっては、ビームセンサー１０の数を多くしなければならないことがある。さらに、被洗浄車両の装備品の有無によっては、ビームセンサーがうまく認識せず、洗車工程開始までの時間をさらに要するという問題がある。
【０００７】
そこで、本発明が斯かる問題点を鑑みてなされたものであって、その目的とするところは、被洗浄車両の洗浄中、被洗浄車両の中にいるユーザに対して圧迫感や恐怖感を解消するとともに、被洗浄車両の洗浄への開始も短くし、使い易く、利便性の高い洗車機を提供するものである。
【課題を解決するための手段】
【０００８】
上記目的を達成するために本発明は、被洗浄車両と洗車機本体を前後方向に相対移動させながら、前記被洗浄車両の洗車を行う洗車機であって、前記被洗浄車両の上面を洗浄するトップブラシを備え、前記被洗浄車両の中央部から前端部へ向かって前記トップブラシを移動して洗浄する第１の洗浄工程と、前記被洗浄車両の中央部から後端部へ向かって前記トップブラシを移動して洗浄する第２の洗浄工程と、を備えたことを特徴とする。
【０００９】
この構成によると、洗車機には前記被洗浄車両の上面を洗浄するトップブラシを備える。そして、前記被洗浄車両の中央部から前端部へ向かって前記トップブラシを移動して洗浄する第１の洗浄工程と、前記被洗浄車両の中央部から後端部へ向かって前記トップブラシを移動して洗浄する第２の洗浄工程とに分けて洗浄する。
【００１０】
このような前記トップブラシを制御することで、ユーザが被洗浄車両の中で待機していても、被洗浄車両のフロントガラスを洗浄する際、ユーザの頭上から被洗浄車両の前端部へと移動し、ユーザの目の前に近づく方向にトップブラシが通って洗浄しないため、圧迫感や恐怖感を与えない。また、前記被洗浄車両の中央部から前端部へ向かって前記トップブラシを移動して洗浄する第１の洗浄工程の後に、前記被洗浄車両の中央部から後端部へ向かって前記トップブラシを移動して洗浄する第２の洗浄工程によって洗浄される。洗浄を開始する前に、センサによって被洗浄車両全体の検知を行う必要が無いため、被洗浄車両の洗浄への開始も短くなる。このため、使い易く、利便性の高い洗車機を提供することができる。
【００１１】
上記目的を達成するために本発明は、前記第１の洗浄工程は、前記トップブラシと前記被洗浄車両とが接触する洗浄開始位置から前記被洗浄車両の前端部へ向かって洗浄し、前記第２の洗浄工程は、前記洗浄開始位置から前記被洗浄車両の後端部へ向かって洗浄し、前記第１の洗浄工程の前に、前記被洗浄車両の斜め上前方の待機位置から、前記トップブラシを前記被洗浄車両の中央部上方へ移動し、前記中央部上方から下方の前記洗浄開始位置へと移動する第１の洗浄体移動工程を設け、前記第１の洗浄工程と前記第２の洗浄工程との間に、前記被洗浄車両の前端部から前記待機位置へと移動する第２洗浄体移動工程と、前記第１の洗浄体移動工程と、を設けたことを特徴とする。
【００１２】
この構成によると、前記被洗浄車両の斜め上前方の待機位置から、前記トップブラシを前記被洗浄車両の中央部上方へ移動し、前記中央部上方から下方の前記洗浄開始位置へと移動する第１の洗浄体移動工程がある。その後には、前記トップブラシと前記被洗浄車両とが接触する洗浄開始位置から前記被洗浄車両の前端部へ向かって洗浄する前記第１の洗浄工程がある。前記第１の洗浄工程の後は、前記被洗浄車両の前端部から待機位置へと移動する第２の洗浄体移動工程があり、その後、再度前記第１の洗浄体移動工程がある。そして、前記洗浄開始位置から前記被洗浄車両の後端部へ向かって洗浄する前記第２の洗浄工程がある。
【００１３】
このように前記トップブラシの移動を制御することで、ユーザが被洗浄車両の中で待機していても、被洗浄車両のフロントガラスを洗浄する際、ユーザの頭上から被洗浄車両の前端部へと移動する。ユーザの目の前に近づく方向にトップブラシが通って洗浄しないため、圧迫感や恐怖感を与えない。また、洗浄前に、センサによって被洗浄車両の全体の検知も必要としないため、被洗浄車両の洗浄の開始も短くなる。このため、使い易く、利便性の高い洗車機を提供することができる。
【００１４】
上記目的を達成するために本発明は、前記第１の洗浄工程と前記第２の洗浄工程とを含む安心洗浄工程に加えて、さらに前記被洗浄車両の前端部から後端部へ向かって直線的に洗浄する直線的洗浄工程を備え、ユーザの所定の操作により前記安心洗浄工程と前記直線的洗浄工程とを選択可能としたことを特徴とする。
【００１５】
この構成によると、ユーザの用途に応じた洗浄方法が選択でき、使い易く、利便性の高い洗車機を提供することができる。
【００１６】
尚、ここでいうユーザ（使用者と同義）とは、洗車機ＷＡを操作することのできる全ての人のことを指すものである。つまり、自動車のユーザという意味に限定されるものではなく、洗車事業者（例えばガソリンスタンドの店員等）や、自動車ディーラ、洗車機メーカ、自動車用部品販売業者などを含むものである。
【００１７】
上記目的を達成するために本発明は、被洗浄車両と洗車機本体を前後方向に相対移動させながら、前記被洗浄車両の乾燥を行う洗車機であって、前記被洗浄車両の上面を乾燥するトップ送風部を備え、前記被洗浄車両の中央部から前端部へ向かって前記トップ送風部を移動して乾燥する第１の乾燥工程と、前記被洗浄車両の中央部から後端部へ向かって前記トップ送風部を移動して乾燥する第２の乾燥工程と、を備えたことを特徴とする。
【００１８】
この構成によると、洗車機には前記被洗浄車両の上面を乾燥するトップ送風部を備える。そして、前記被洗浄車両の中央部から前端部へ向かって前記トップ送風部を移動して乾燥する第１の乾燥工程と、前記被洗浄車両の中央部から後端部へ向かって前記トップ送風部を移動して乾燥する第２の乾燥工程とに分けて乾燥する。
【００１９】
このように前記トップ送風部を制御することで、ユーザが被洗浄車両の中で待機していても、被洗浄車両のフロントガラスを乾燥する際、ユーザの頭上から被洗浄車両の前端部へと移動し、ユーザの目の前に近づく方向にトップ送風部が通って乾燥しないため、圧迫感や恐怖感を与えない。また、前記被洗浄車両の中央部から前端部へ向かって前記トップ送風部を移動して乾燥する第１の乾燥工程の後に、前記被洗浄車両の中央部から後端部へ向かって前記トップ送風部を移動して乾燥する第２の乾燥工程によって乾燥される。このため、使い易く、利便性の高い洗車機を提供することができる。
【００２０】
上記目的を達成するために本発明は、前記第１の乾燥工程は、前記トップ送風部と前記被洗浄車両とが近接する乾燥開始位置から前記被洗浄車両の前端部へ向かって乾燥し、前記第２の乾燥工程は、前記乾燥開始位置から前記被洗浄車両の後端部へ向かって乾燥し、前記第１の乾燥工程の前に、前記被洗浄車両の斜め上前方の待機位置から、前記トップ送風部を前記被洗浄車両の中央部上方へ移動し、前記中央部上方から下方の前記乾燥開始位置へと移動する第１の乾燥体移動工程を設け、前記第１の乾燥工程と前記第２の乾燥工程との間に、前記被洗浄車両の前端部から前記待機位置へと移動する第２の乾燥体移動工程と、前記第１の乾燥体移動工程と、を設けたことを特徴とする。
【００２１】
このように前記トップ送風部の移動を制御することで、ユーザが被洗浄車両の中で待機していても、被洗浄車両のフロントガラスを乾燥する際、ユーザの頭上から被洗浄車両の前端部へと移動する。ユーザの目の前に近づく方向にトップ送風部が通って乾燥しないため、圧迫感や恐怖感を与えない。このため、使い易く、利便性の高い洗車機を提供することができる。
【００２２】
上記目的を達成するために本発明は、前記第１の乾燥工程と前記第２の乾燥工程とを含む安心乾燥工程に加えて、さらに前記被洗浄車両の前端部から後端部へ向かって直線的に乾燥する直線的乾燥工程を備え、ユーザの所定の操作により前記安心乾燥工程と前記直線的乾燥工程とを選択可能としたことを特徴とする。
【００２３】
この構成によると、ユーザの用途に応じた乾燥方法が選択でき、使い易く、利便性の高い洗車機を提供することができる。
【発明の効果】
【００２４】
以上のように本発明によれば、被洗浄車両の洗浄中、被洗浄車両の中にいるユーザに対して圧迫感や恐怖感を解消するとともに、被洗浄車両の洗浄への開始も短くし、使い易く、利便性の高い洗車機を提供できる。
【図面の簡単な説明】
【００２５】
【図１】洗車機一台の全体構成を示す側面図である。
【図２】洗車機一台の全体構成を示す正面図である。
【図３】操作パネルを示す図である。
【図４】本発明に係る洗車機の動作を示すフローチャートである。
【図５】本発明に係る洗車機の洗浄工程を示す図である。
【図６】本発明に係る洗車機の洗浄工程を示す図である。
【図７】本発明に係る洗車機の乾燥工程を示す図である。
【図８】本発明に係る洗車機の乾燥工程を示す図である。
【発明を実施するための形態】
【００２６】
給油所などに設置されている洗車機は、被洗浄車両と洗車機本体を前後方向に相対移動させながら、被洗浄車両に貯液タンクに貯留された液剤や洗浄水を噴射して洗車を行う構成とされている。また、液剤や洗浄水を噴射しながらブラッシングして洗浄することや、洗浄後に乾燥用空気を吹き付けて乾燥することが行われている。
【００２７】
洗浄工程においては、先ず、洗浄水を用いて汚れを落とし、次いでシャンプーなどの液剤を用いて洗浄し、さらに洗浄水を用いて水洗いする。この洗浄工程の後で、各送風ノズルから送風して乾燥する乾燥工程が行われる。また、必要に応じてワックスや撥水コートなどの液剤塗布工程を適宜組み合わせて洗車を行う。このように、洗車の際に用いる液剤としては、各種のシャンプーやワックスやコート類が用いられており、それぞれ専用の貯液タンクに貯留され、タンク内に挿入されたチューブを介して、洗車工程の処理に応じて噴射され消費される。また、複数の洗車モードから所望のモードを選択し、使用する液剤の種類を選択して所定の洗車モードに設定する操作パネルやリモートパネルを備えている。操作パネルは洗車機本体に配設しているが、リモートパネルは洗車機本体から離れた位置に設置して、このリモートパネルと操作パネルとを電気的に接続して、リモートパネルに設定された洗車モードにより、洗車機を駆動可能にしている。
【００２８】
一例として、図１及び図２を用いて説明する。この洗車機ＷＡは、複数のブラシを備える洗浄部材と、ブロワと複数の送風ノズルを備える乾燥部材とを装着し、被洗浄車両ＣＡを跨ぐように門型とされる洗車機本体１を備えた構成であり、被洗浄車両ＣＡと洗車機本体１を前後方向に相対移動させながら、複数の貯液タンクに貯留された液剤をそれぞれ水により希釈して前記被洗浄車両ＣＡへ噴霧して、前記被洗浄車両ＣＡの洗車を行う。
【００２９】
洗車機本体１が、車輪３を介してレール２上に沿って走行移動する構成とし、被洗浄車両ＣＡを、該被洗浄車両ＣＡを跨ぐ門型とされる洗車機の左右一対のレール間の所定の位置に停車して、洗車機本体１に設置する操作パネル（操作部と同義）７やリモートパネル７Ａから、所望の洗車モードを設定し、スタートボタンを操作して、洗車操作を開始する。
【００３０】
門型の洗車機本体１は、被洗浄車両ＣＡを洗浄するブラシとして、例えば、被洗浄車両ＣＡの上面を洗浄するトップブラシ４と、被洗浄車両ＣＡの両側面と前後面を洗浄する左右一対のサイドブラシ５と、被洗浄車両ＣＡの両側面下部を洗浄する左右一対のロッカーブラシ６を備えている。トップブラシ４は、ブラシ軸（不図示）と該ブラシ軸に取付けられたブラシ毛、あるいは布（織布、編布および不織布が該当する）から作られ、図示しない支持装置を介して昇降自在で回転可能に支持されている。
【００３１】
また、ブラッシングの際に使用する洗浄水や各種液剤を噴霧する各種ノズルや各種液剤を貯液する貯液タンクを備えている。各種液剤を貯液する複数の貯液タンクは、洗車機本体１に設けられるタンク収納部５０に収納されており、電磁式の開閉弁と副給水ホースを備える分配配管部５１を介して各ノズルに分配している。液剤を噴霧するノズルとしては、例えば、第一浄水ノズル１１、第一洗剤ノズル１２、第二浄水ノズル１３、撥水コートノズル１４、第二洗剤ノズル１５、ワックスノズル１６などが配設されている。
【００３２】
また、乾燥のために、ブロワ２０と該ブロワ２０からの送風を吹き付ける昇降自在なトップ送風ノズル（トップ送風部）２１と左右一対のサイド送風ノズル２２を備えている。
また、洗車機本体１に配設する操作パネル７を介して、洗車機ＷＡの駆動条件を設定し、設定された条件に基づいて洗車機ＷＡを駆動する構成としている。
【００３３】
洗車機本体１に配設する操作パネル７、もしくは、洗車機本体１から離れた位置に設置するリモートパネル７Ａを介して、洗車機ＷＡの駆動条件を設定し、設定された条件に基づいて洗車機ＷＡを駆動する構成としている。
【００３４】
８は、被洗浄車両ＣＡの有無および車高を検知するセンサであって、例えば、光電センサや超音波を利用したソニックセンサが好適に用いられる。ボンネット高さ検知センサ８に替えて透過式光電センサからなる車形検出センサ（不図示）を用いることもできる。この場合には、洗車機本体の一方の側部の上下方向に投光器を併設し、これらの投光器に対向する他方の側部の上下方向に受光器を併設することで、洗浄位置に進入してくる被洗浄車両ＣＡの車形およびボンネット高さを検知する。
【００３５】
操作パネル７やリモートパネル７Ａには、水洗いモードや、洗剤を用いた洗浄モードや、ワックスを塗布するワックスモードや、撥水剤をコートする撥水モードなどの各種洗車モードを選択する選択ボタンや、ブラシの回転数を制御するブラシ回転スイッチや、スタート・ストップボタンなどが設けられている。
【００３６】
また、洗車機本体１を、洗浄部材を備えた洗浄機本体と乾燥部材を備えた乾燥機本体との別体として、それぞれが、被洗浄車両ＣＡを跨ぐように門型とされ、被洗浄車両ＣＡと洗浄機本体と乾燥機本体とを前後方向に相対移動させながら、被洗浄車両ＣＡの洗車を行う構成の洗車機も知られている。この構成であっても、各種ブラシと各種ノズルを備え、操作パネル７もしくはリモートパネル７Ａを備えていることは同じである。
【００３７】
上記した洗車機ＷＡにおいては、一台の洗車機に一台の操作パネル７が配設された１：１構成とされていて、洗車の際には、車種に適応した洗車モードや使用者が所望する洗車モードに設定する必要がある。そのために、操作パネル７に、ユーザ（使用者と同義）もしくは洗車スタッフが所定の洗車モードを選択して設定している。
【００３８】
図３は洗車動作などを設定する操作パネル（操作部）７の一部である。操作パネル７からユーザは洗車機ＷＡの洗車モードなどを設定することができる。
【００３９】
操作パネル７の正面側には、返却レバー、コイン投入口、紙幣投入口（不図示）を設けている。また、音声出力を行うスピーカ（不図示）が設けられており、洗車モードの設定操作の内容や手順を案内する音声ガイド、もしくは、注意事項などの音声ガイドを出力可能としている。
【００４０】
また、操作パネル７には、投入された金額を表示する金額表示部７０、各種の洗車モードに対応する設定ボタン７１が設けられている。設定ボタン７１には、例えば、シャンプーを行うボタン、ワックス掛けを行うボタン、撥水コートを行うボタン、第２（高級）シャンプー、第２（高級）ワックス、第２（高級）撥水コートや特殊なコートを行う選択ボタンを設ける構成としている。
【００４１】
さらに、操作パネル７には、装備品設定ボタン７２を備える。装備品設定ボタン７２として、例えば、該当装備品なしボタン、フロントガードありボタン、フェンダーポールありボタン、ドアミラーありボタン、リヤワイパーありボタンなどが設けられている。
【００４２】
また、通常の洗浄を行う通常洗車コースボタン７３と、被洗浄車両ＣＡの中にいるユーザに対して圧迫感や恐怖感を解消する洗浄を行う安心洗浄コースボタン７４と、を備える。つまり、通常洗車コースボタン７３を押下すれば、図６に示すように被洗浄車両ＣＡの前端部Ｐ４から後端部Ｐ５へ向かって直線的に洗浄する直線的洗浄工程を選択できる。一方、安心洗浄コースボタン７４を押下すれば、図５に示すように、被洗浄車両ＣＡの中央部Ｐ３から前端部Ｐ４へ向かってトップブラシ４を移動して洗浄する第１の洗浄工程Ｑ３４と、被洗浄車両ＣＡの中央部Ｐ３から後端部Ｐ５へ向かってトップブラシ４を移動して洗浄する第２の洗浄工程Ｑ３５と、を備えた安心洗浄工程を選択できる。直線的洗浄工程と安心洗浄工程の動作については後述する。
【００４３】
以上のように第１の洗浄工程Ｑ３４と第２の洗浄工程Ｑ３５とを含む安心洗浄工程に加えて、さらに被洗浄車両の前端部Ｐ４から後端部Ｐ５へ向かって直線的に洗浄する直線的洗浄工程を備え、ユーザの所定の操作により前記安心洗浄工程と前記直線的洗浄工程とを選択可能としている。このため、使い易く、利便性の高い洗車機を提供することができる。
【００４４】
また、通常の乾燥を行う通常乾燥コースボタン７５と被洗浄車両ＣＡの中にいるユーザに対して圧迫感や恐怖感を解消する乾燥を行う安心乾燥コースボタン７６と、を備える。つまり、通常乾燥コースボタン７５押下すれば、通常洗車コースボタン７３を押下したのと同様、図８に示すように、被洗浄車両ＣＡの前端部ＰＰ４から後端部ＰＰ５へ向かって直線的に乾燥する直線的乾燥工程を選択できる。一方、安心乾燥コースボタン７６を押下すれば、安心洗浄コースボタン７４を押下したのと同様、図７に示すように、被洗浄車両ＣＡの中央部ＰＰ３から前端部ＰＰ４へ向かって、トップ送風ノズル（トップ送風部と同義）２１を移動して乾燥する第１の乾燥工程ＱＱ３４と、被洗浄車両ＣＡの中央部ＰＰ３から後端部ＰＰ５へ向かってトップ送風ノズル２１を移動して乾燥する第２の乾燥工程ＱＱ３５と、を備えた安心乾燥工程を選択できる。
【００４５】
以上のように、安心乾燥工程と、直線的乾燥工程と、を備え、ユーザの操作部７の押下操作により安心洗乾燥程と直線的乾燥工程とを選択可能としている。このため、使い易く、利便性の高い洗車機を提供することができる。
【００４６】
また、洗車開始ボタン７７や、洗車開始後に洗車を停止するストップボタン７７を操作パネル７に備えている。上記のボタンの配置は一例であって、各種動作の設定を行い、共通のスタートボタンによって開始してもよい。
【００４７】
次に図４に示すフローチャートを用いて、操作パネル７による操作によって洗車機本体１の洗車動作について説明する。
【００４８】
ステップＳ１では、被洗浄車両ＣＡが洗車機本体１へ進入して洗浄位置へ停車する。
【００４９】
ステップＳ２では、ユーザが操作パネル（操作部）７から洗浄や乾燥などの所定の操作を行う。この際、洗浄の設定の場合、例えば、報知部（不図示）から「通常洗浄コースと安心洗浄コースがあります。安心洗浄コースは通常洗浄コースに比べて、洗浄による圧迫感や恐怖感を軽減できる洗浄コースです。一方、通常洗浄コースはこれまでの洗浄方法で、安心洗浄コースより早く洗浄できます。」等の洗浄としてのアナウンスが報知されてもよい。
【００５０】
さらに、例えば、報知部（不図示）から「通常乾燥コースと安心乾燥コースがあります。安心乾燥コースは通常乾燥コースに比べて、乾燥による圧迫感や恐怖感を軽減できる乾燥コースです。一方、通常乾燥コースはこれまでの乾燥方法で、安心乾燥コースより早く乾燥できます。」等の乾燥としてのアナウンスが報知されてもよい。
【００５１】
ステップＳ３では、洗車機本体１は被洗浄車両ＣＡの洗浄を開始する。
【００５２】
ステップＳ４では、ユーザが安心洗浄工程を選択したか否かが判断される。安心洗浄工程は、ユーザが安心洗浄コースボタン７４を選択した場合に実施される洗浄工程である。一方、通常洗浄コースボタン７３を選択した場合には、直線的洗浄工程が実施される。
【００５３】
ステップＳ５では、安心洗浄工程が実施される。安心洗浄工程について図５を用いてさらに説明する。トップブラシ４は、まず第１の洗浄体移動工程Ｑ１２３として、被洗浄車両ＣＡの斜め上前方の待機位置Ｐ１から、トップブラシ４を被洗浄車両ＣＡの中央部上方Ｐ２へ移動し、前記中央部上方Ｐ２から下方の洗浄開始位置Ｐ３へと移動する。中央部上方Ｐ２や洗浄開始位置Ｐ３はセンサ８や車形検出センサなどの所定のセンサによって検出する。
【００５４】
次に、前記第１の洗浄工程Ｑ３４が始まり、具体的には、トップブラシ４と被洗浄車両ＣＡとが接触する洗浄開始位置Ｐ３から被洗浄車両ＣＡの前端部Ｐ４へ向かって洗浄する。このように、被洗浄車両ＣＡの中にいるユーザに対して、後ろから洗浄するのでトップブラシ４による圧迫感や恐怖感を解消することができる。
【００５５】
次に、第２の洗浄体移動工程Ｑ４１として、被洗浄車両ＣＡの前端部Ｐ４から待機位置Ｐ１へと移動するとともに、その後、再度第１の洗浄体移動工程Ｑ１２３のように移動する。即ち、被洗浄車両ＣＡの斜め上前方の待機位置Ｐ１から、トップブラシ４を被洗浄車両ＣＡの中央部上方Ｐ２へ移動し、前記中央部上方Ｐ２から下方の洗浄開始位置Ｐ３へと移動する。
【００５６】
次に、第２の洗浄工程Ｑ３５として、洗浄開始位置Ｐ３から前記被洗浄車両ＣＡの後端部Ｐ５へ向かって洗浄する。その後は、トップブラシ４は待機位置Ｐ１へ配置される。このように、被洗浄車両ＣＡの中にいるユーザに対して、ユーザの目の前から近づかず、後ろから洗浄するのでトップブラシ４による圧迫感や恐怖感を解消することができる。また、洗浄を前端部Ｐ４と後端部Ｐ５へと分けて行い、被洗浄車両ＣＡの全ての車形を検知する必要はないため、被洗浄車両ＣＡの洗浄への開始も短くし、使い易く、利便性の高い洗車機を提供できる。
【００５７】
ステップＳ６では、直線的洗浄工程が実施される。図６を用いて直線的洗浄工程を説明する。トップブラシ４は、待機位置Ｐ１から被洗浄車両ＣＡの前端部Ｐ４へと移動する。そして、前端部Ｐ４から後端部Ｐ５へと被洗浄車両ＣＡの表面にそって、直線的に洗浄を行う。このようにトップブラシ４は、被洗浄車両ＣＡの前端部Ｐ４から洗浄するのでトップブラシ４による圧迫感や恐怖感を解消できないが、洗浄及び移動工程が単純なため、安心洗浄工程に比べて早期に洗浄を終了することができる。
【００５８】
ステップＳ７では、洗浄を終了する。上記のように、前記第１の洗浄工程Ｑ３４と前記第２の洗浄工程Ｑ３５とを含む安心洗浄工程と、前記被洗浄車両ＣＡの前端部Ｐ４から後端部Ｐ５へ向かって直線的に洗浄する直線的洗浄工程と、を備え、ユーザの所定の操作により前記安心洗浄工程と前記直線的洗浄工程とを選択可能としたため、ユーザの用途に応じた洗浄方法が選択でき、使い易く、利便性の高い洗車機を提供することができる。
【００５９】
ステップＳ８からは、乾燥工程が開始する。ステップＳ１〜Ｓ７では洗浄工程について説明したが、ステップＳ８〜Ｓ１２については乾燥工程について説明する。洗浄工程同様に乾燥工程においても、ユーザが被洗浄車両ＣＡの中で待機しているため、被洗浄車両ＣＡのフロントガラスなどを乾燥する際、ユーザの頭上から被洗浄車両の前端部ＰＰ４へと移動する。このため、ユーザの目の前に近づく方向にトップ送風ノズルが通って乾燥しないため、圧迫感や恐怖感を与えない。そこで、本発明では、被洗浄車両ＣＡの乾燥中、被洗浄車両ＣＡの中にいるユーザに対して圧迫感や恐怖感を解消することができる。
【００６０】
洗浄工程の場合はトップブラシ４がユーザに対して圧迫感や恐怖感を与えることになったが、乾燥工程においては、トップ送風ノズル（トップ送風部）２１がユーザに対して圧迫感や恐怖感を与えることになる。このため、適宜省略して以下説明する。
【００６１】
ステップＳ９では、ユーザが安心乾燥工程を選択したか否かが判断される。安心乾燥工程は、ユーザが安心乾燥コースボタン７６を選択した場合に実施される乾燥工程である。一方、通常乾燥コースボタン７５を選択した場合には、直線的乾燥工程が実施される。
【００６２】
ステップＳ１０では、安心乾燥工程が実施される。安心乾燥工程について図７を用いてさらに説明する。トップ送風ノズル２１は、まず第１の乾燥体移動工程ＱＱ１２３として、被洗浄車両ＣＡの斜め上前方の待機位置ＰＰ１から、トップ送風ノズル２１を被洗浄車両ＣＡの中央部上方ＰＰ２へ移動し、前記中央部上方ＰＰ２から下方の乾燥開始位置ＰＰ３へと移動する。
【００６３】
次に、前記第１の乾燥工程ＱＱ３４が始まり、具体的には、トップ送風ノズル２１と被洗浄車両ＣＡとが近接する乾燥開始位置ＰＰ３から被洗浄車両ＣＡの前端部ＰＰ４へ向かって乾燥する。このように、被洗浄車両ＣＡの中にいるユーザに対して、ユーザの目の前から近づかず、後ろから乾燥するのでトップ送風ノズル２１による圧迫感や恐怖感を解消することができる。
【００６４】
次に、第２の乾燥体移動工程ＱＱ４１として、被洗浄車両ＣＡの前端部ＰＰ４から待機位置ＰＰ１へと移動する。その後、再度第１の乾燥体移動工程ＱＱ１２３として移動する。即ち、被洗浄車両ＣＡの斜め上前方の待機位置ＰＰ１から、トップ送風ノズル２１を被洗浄車両ＣＡの中央部上方ＰＰ２へ移動し、前記中央部上方ＰＰ２から下方の乾燥開始位置ＰＰ３へと移動する。
【００６５】
次に、第２の乾燥工程ＱＱ３５として、乾燥開始位置ＰＰ３から前記被洗浄車両ＣＡの後端部ＰＰ５へ向かって乾燥する。その後は、トップ送風ノズル２１は待機位置ＰＰ１へ配置される。このように、被洗浄車両ＣＡの中にいるユーザに対して、後ろから乾燥するのでトップ送風ノズル２１による圧迫感や恐怖感を解消することができる。このため、使い易く、利便性の高い洗車機を提供できる。
【００６６】
ステップＳ１１では、直線的乾燥工程が実施される。図８を用いて直線的乾燥工程を説明する。トップ送風ノズル２１は、待機位置ＰＰ１から被洗浄車両ＣＡの前端部ＰＰ４へと移動する。そして、前端部ＰＰ４から後端部ＰＰ５へと被洗浄車両ＣＡの表面にそって、直線的に乾燥を行う。このようにトップ送風ノズル２１は、被洗浄車両ＣＡの前端部ＰＰ４から乾燥するのでトップ送風ノズル２１による圧迫感や恐怖感を解消できないが、乾燥及び移動工程が単純なため、安心乾燥工程に比べて早期に乾燥を終了することができる。
【００６７】
ステップＳ１２では、乾燥工程を終了する。
【００６８】
以上よりフローチャートによる説明を終了する。
【００６９】
上記の通り、被洗浄車両ＣＡと洗車機本体１を前後方向に相対移動させながら、前記被洗浄車両の洗車を行う洗車機ＷＡであって、前記被洗浄車両ＣＡの上面を洗浄するトップブラシ４を備え、前記被洗浄車両ＣＡの中央部Ｐ３から前端部Ｐ４へ向かって前記トップブラシ４を移動して洗浄する第１の洗浄工程Ｑ３４と、前記被洗浄車両ＣＡの中央部Ｐ３から後端部Ｐ５へ向かって前記トップブラシ４を移動して洗浄する第２の洗浄工程Ｑ３５と、を備えた。
【００７０】
このため、被洗浄車両ＣＡの洗浄中、被洗浄車両ＣＡの中にいるユーザに対して圧迫感や恐怖感を解消するとともに、被洗浄車両ＣＡの洗浄への開始も短くし、使い易く、利便性の高い洗車機を提供できる。
【００７１】
なお、上記した洗車機ＷＡの構成はいずれも例示であり、洗車の種類に対応して種々の構成の採用が可能である。また、本発明の適用対象は洗車目的に限られるものではなく一般の各種洗浄装置においても採用が可能である。
【００７２】
例えば直線的洗浄工程や直線的乾燥工程は前端部から後端部への動作だったが、直線的な工程であればよく、後端部から前端部であってもよい。
【００７３】
またトップ送風部２１はトップ送風ノズルに限定するものではなく、洗浄の後にユーザの目の前から向かって来て、恐怖感や圧迫感を与えるように送風される部材であればよい。
【符号の説明】
【００７４】
１      洗車機本体
２      レール
３      車輪
４      トップブラシ
５      サイドブラシ
６      ロッカーブラシ
７      操作パネル
８      センサ
２０    ブロワ
２１    トップ送風部（トップ送風ノズル）
７０    金額表示部
７１    設定ボタン
７２    装備品設定ボタン
７３    通常洗浄コースボタン
７４    安心洗浄コースボタン
７５    通常乾燥コースボタン
７６    安心乾燥コースボタン
７７    洗車開始ボタン
７８    ストップボタン
ＣＡ    被洗浄車両
ＷＡ    洗車機
Ｑ３４  第１の洗浄工程
Ｑ３５  第２の洗浄工程
Ｑ１２３  第１の洗浄体移動工程
Ｑ４１  第２の洗浄体移動工程
ＱＱ３４  第１の乾燥工程
ＱＱ３５  第２の乾燥工程
ＱＱ１２３  第１の乾燥体移動工程
ＱＱ４１  第２の乾燥体移動工程
【図１】
2012046141.tif 000003
【図２】
2012046141.tif 000004
【図３】
2012046141.tif 000005
【図４】
2012046141.tif 000006
【図５】
2012046141.tif 000007
【図６】
2012046141.tif 000008
【図７】
2012046141.tif 000009
【図８】
2012046141.tif 000010